(57)【特許請求の範囲】
【請求項１】
枠体内に障子を開閉可能に納めた建具において、
前記枠体または前記障子に設けられていて外気に連通する外圧空間を形成する中空筒部と、
前記中空筒部内に設けた操作部または可動部と、  
前記中空筒部内における前記操作部または可動部の周囲を仕切って内気に連通する内圧空間を形成した封止部材と、を備え、
前記操作部または可動部は前記内圧空間に連通していることを特徴とする建具。
【請求項２】
枠体内に障子を開閉可能に納めた建具において、
前記障子の框部に設けられていて、外気に連通する外圧空間を形成する中空筒部及び前記中空筒部の屋内側に設けられていて屋内側の内気に連通する内圧空間を形成する中空ホロー部と、
前記中空筒部及び中空ホロー部の内部に設けた可動な操作部と、  
前記中空筒部内における前記操作部の周囲を封止して内圧空間を形成した第一封止部材と、を備え、
前記操作部は前記内圧空間に連通していることを特徴とする建具。
【請求項３】
前記中空筒部は中空枠部であり、該中空枠部内における前記操作部の先端を囲っていて該操作部に連動して移動可能なスライダーが設けられており、該スライダーの両側に前記第一封止部材を設置して前記内圧空間を形成した請求項２に記載された建具。
【請求項４】
前記中空ホロー部はその端部を第二封止部材で封止した請求項２または３に記載された建具。
【請求項５】
前記中空ホロー部は前記操作部の両側を第三封止部材で封止した請求項２または３に記載された建具。
【請求項６】
枠体内に障子を開閉可能に納めた建具において、
前記障子の框部に設けられていて、外気に連通する外圧空間を形成する中空筒部及び前記中空筒部の屋内側に設けられていて屋内側の内気に連通する内圧空間を形成する中空ホロー部と、
前記中空筒部及び中空ホロー部の内部に設けた操作部と、  
前記中空筒部及び中空ホロー部の境界の前記操作部が貫通する連通部を封止した封止部材と、
を備えたことを特徴とする建具。
【発明の詳細な説明】
【技術分野】
【０００１】
本発明は、枠体内に納めた障子を開閉作動するハンドル等の操作部または可動部を操作したり作動したりする際に、外気や水等が操作部または可動部との隙間を介して屋内に侵入しないようにした建具に関する。
【背景技術】
【０００２】
従来、例えば特許文献１に記載された開口部装置では、障子を開閉可能に納めた枠体にグレモンハンドルを備えている。このグレモンハンドルの操作で縦枠に沿って移動可能に構成された連動バーに設けたロックピンが、対向配置された障子の縦框に設けた小開口規制部材の係合位置と非係合位置との間を移動することで障子を施錠及び解錠したロック装置が提案されている。
【先行技術文献】
【特許文献】
【０００３】
【特許文献１】特開２０１５−１０５５０４号公報
【発明の概要】
【発明が解決しようとする課題】
【０００４】
ところで、上述した開口部装置の中には、ハンドルの先端が縦框や横框のホロー部とその外側の外側枠とに跨って延びているものがあり、このハンドルを回動させることで先端部がホロー部と外側枠に跨る空間内を回動する。すると、ハンドルの先端に沿って可動を許容する隙間が外側枠とホロー部に形成されているため、外気が外側枠からホロー部を通って障子の屋内側に流入してしまう漏気が生じる。しかも、隙間のために外側枠とホロー部が外圧であるので、雨水等が外側枠に流入するとハンドルとの隙間を通ってホロー部から屋内側に引き込まれてしまうというおそれがあった。
【０００５】
本発明は、このような課題に鑑みてなされたものであって、中空筒部内に可動な操作部または可動部が突出していても、中空筒部を通って屋内側に外気や雨水等が流入することを抑制するようにした建具を提供することを目的とする。
【課題を解決するための手段】
【０００６】
本発明による建具は、枠体内に障子を開閉可能に納めた建具において、枠体または障子に設けられていて外気に連通する外圧空間を形成する中空筒部と、中空筒部内に設けた可動の操作部または可動部と、中空筒部内における操作部または可動部の周囲を仕切って内気に連通する内圧空間を形成した封止部材とを備え、操作部または可動部は内圧空間に連通していることを特徴とする。
本発明によれば、中空筒部内に可動の操作部または可動部を設けたために可動のための隙間が生じるが、封止部材によって操作部または可動部の周囲を内圧の密閉空間に設定できるため外気や水の流入を抑制できる。また、仮に操作部または可動部の周囲に外気や水等が流れ込んだとしても屋内側に連通する内圧空間に設定されているため、屋内側に引き込まれることを防止できる。
【０００７】
また、本発明による建具は、枠体内に障子を開閉可能に納めた建具において、障子の框部に設けられていて、外気に連通する外圧空間を形成する中空筒部及び該中空筒部の屋内側に設けられていて屋内側の内気に連通する内圧空間を形成する中空ホロー部と、中空筒部及び中空ホロー部の内部に設けた可動な操作部と、中空筒部内における操作部の周囲を封止して内圧空間を形成した第一封止部材とを備え、操作部は内圧空間に連通していることを特徴とする。
本発明では、可動な操作部の周囲に隙間が生じ得るが、外気に連通する中空筒部では第一封止部材によって操作部の周囲を内圧空間に形成したため、外気や水等の流入を抑制できる。中空筒部内に外気や水が流入したとしても内圧空間であり、その屋内側の中空ホロー部も内圧空間であるため屋内側に外気や水が引き込まれることを抑制できる。
【０００８】
また、中空筒部内における操作部の先端を囲っていて該操作部に連動して移動可能なスライダーが設けられており、該スライダーの両側に第一封止部材を設置して内圧空間を形成してもよい。
中空筒部は外気に接しているが、操作部の先端をスライダーと第一封止部材で囲って内圧空間としたから、外気や水等の流入を抑制できる。
【０００９】
また、中空ホロー部はその端部を第二封止部材で封止していてもよい。
これによって中空ホロー部内を確実に屋内側に連通する内圧空間に保持できる。
【００１０】
また、中空ホロー部は操作部の両側を第三封止部材で封止していてもよい。
中空筒部と中空ホロー部に延びる操作部の周囲を第一封止部材と第三封止部材でそれぞれ封止することで、可動な操作部の周囲を確実に内圧空間に保持できる。
【００１１】
本発明による建具は、枠体内に障子を開閉可能に納めた建具において、障子の框部に設けられていて、外気に連通する外圧空間を形成する中空筒部及び該中空筒部の屋内側に設けられていて屋内側の内気に連通する内圧空間を形成する中空ホロー部と、中空筒部及び中空ホロー部の内部に設けた操作部と、中空筒部及び中空ホロー部の境界の操作部が貫通する連通部を封止した封止部材と、を備えたことを特徴とする。
本発明によれば、框部の中空筒部及び中空ホロー部の境界における連通部と操作部との間に隙間が生じていても、連通部を封止部材で封止したことで外気に連通する中空筒部に外気や雨水等が流入しても中空ホロー部に引き込まれることを抑制できる。
【発明の効果】
【００１２】
本発明による建具では、中空筒部内に操作部または可動部が突出していても、操作部または可動部の両側に設けた第一封止部材で閉鎖することによって内圧空間を形成したため、外気や雨水等が中空筒部から内圧空間に流入することを阻止でき、一部が流入したとしても内圧空間に設定したため操作部または可動部との隙間を通って屋内側に引き込まれることを抑制できる。
また、発明による建具では、中空筒部と中空ホロー部内に可動な操作部が設けられていても、操作部の両側に設けた第一封止部材で中空筒部を封止することによって内圧空間を形成したため、外気や雨水等が中空筒部から操作部との隙間を通って中空ホロー部やその屋内側に引き込まれることを抑制できる。
また、本発明による建具では、框部の中空筒部及び中空ホロー部の境界における連通部と操作部との間に隙間が生じ得るが、連通部と操作部の隙間を封止部材で封止したことで中空筒部の外気や雨水等が中空ホロー部に引き込まれることを抑制できる。
【図面の簡単な説明】
【００１３】
【図１】本発明の第一実施形態による縦辷り出し窓の要部縦断面図である。
【図２】図１に示す縦辷り出し窓の要部水平断面図である。
【図３】縦框の見付け面に設けたハンドルを示す正面図である。
【図４】図３の金属縦框におけるＡ−Ａ線断面図を示すものであり、（ａ）はハンドル操作前の障子の閉鎖位置を示す図、（ｂ）はハンドル操作後の障子の開放位置を示す図である。
【図５】閉鎖位置と開放位置における金属縦框と小開口規制プレートを示す模式図である。
【図６】第二実施形態を示すものであり、障子の縦框と下框の連結部を示す要部斜視図である。
【図７】障子の下框と下枠を示す要部断面図である。
【図８】第三実施形態による障子を開閉するハンドルと金属縦框を示す図４と同様な縦断面図であり、（ａ）は障子の閉鎖状態の図、（ｂ）は障子の開放状態の図である。
【図９】第四実施形態による引き違い窓の縦框にハンドルを取り付けた構成を示す要部水平断面図である。
【発明を実施するための形態】
【００１４】
以下、本発明の実施形態による建具の一例として縦辷り出し窓について添付図面により説明する。
図１乃至図５に示す本発明の第一実施形態による縦辷り出し窓１は障子の開放状態を小開口に制限する小開口制限機構を備えている。この縦辷り出し窓１は、例えばアルミ合金等の金属部材と樹脂部材の複合建具からなっているが、金属製の建具や樹脂製の建具でもよい。図１及び図２に示す縦辷り出し窓１は、躯体の開口部にそれぞれアルミ合金及び樹脂からなる上枠３と下枠４と左右の縦枠５、６とが四角形枠状に形成された枠体７を取り付けている。
【００１５】
枠体７内に開閉可能に納めた障子９は、それぞれアルミ合金と樹脂からなる上框１０及び下框１１と左右の縦框１２，１３とが略四角形枠状に形成された框体１４を有している。框体１４の内部にはパネルとして例えば二層ガラス等の複層ガラスからなるガラスパネル１５を納めている。障子９の吊元は枠体７の見付け方向の一端部である縦枠６近傍に設けられ、その軸線は上下方向に延びて上枠３と下枠４に支持されている。
【００１６】
図１に示す縦辷り出し窓１の縦断面図において、枠体７の上枠３は屋外側に設けたアルミ合金からなる金属上枠３ａと屋内側に設けた樹脂上枠３ｂとが互いに係合されている。下枠４は屋外側に設けたアルミ合金からなる金属下枠４ａと屋内側に設けた樹脂下枠４ｂとが互いに係合されている。
図２に示す横断面図において、吊先側（図２において左側）に設けた縦枠５は屋外側に設けたアルミ合金からなる金属縦枠５ａと屋内側に設けた樹脂縦枠５ｂとが互いに係合されている。吊元側（図２において右側）に設けた縦枠６は屋外側に設けたアルミ合金からなる金属縦枠６ａと屋内側に設けた樹脂縦枠６ｂとが互いに係合されている。
【００１７】
枠体７に納められた障子９の框体１４はそれぞれ屋外側に設けたアルミ合金からなる金属上框１７と金属下框１８と左右の金属縦框１９，２０とで四角形枠状に形成されている。図１に示す金属上框１７と金属下框１８にはガラスパネル１５の上端部と下端部を嵌合するための断面略Ｌ字状のパネル嵌合溝１７ａ、１８ａが形成され、それぞれパッキン２２によってガラスパネル１５の上端部と下端部の両面を保持している。
金属上框１７と金属下框１８に形成したパネル嵌合溝１７ａ、１８ａの屋内側にはパッキン２２を介してガラスパネル１５の屋内側の側面を押圧保持するための上部押縁２４、下部押縁２５がそれぞれ取り付けられている。なお、金属下框１８のパネル嵌合溝１８ａの下部には中空のホロー部１８ｂが形成されている。
【００１８】
上部押縁２４は互いに係合する金属押縁片２４ａと樹脂押縁片２４ｂとが一体化されている。金属押縁片２４ａはパッキン２２を介してガラスパネル１５を押圧し、パネル嵌合溝１７ａと共に断面略コの字状を形成してガラスパネル１５を保持する。同様に下部押縁２５も金属押縁片２５ａと樹脂押縁片２５ｂが互いに係合して一体化されている。パネル嵌合溝１８ａと金属押縁片２５ａとで断面略コの字状とされてガラスパネル１５を保持する。そのため、上框１０は金属上框１７と上部押縁２４で構成され、下框１１は金属下框１８と下部押縁２５で構成されている。
【００１９】
図２において、左側の金属縦框１９にはガラスパネル１５の左側端部を受けるための断面略コの字状のパネル嵌合溝１９ａが形成され、パッキン２２を介してガラスパネル１５の左側端部の両面を保持している。
右側の金属縦框２０にはガラスパネル１５の右側端部を嵌合するための断面略Ｌ字状のパネル嵌合溝２０ａが形成され、パッキン２２によってガラスパネル１５の右側端部の両面を保持している。金属縦框２０に形成した断面略Ｌ字状のパネル嵌合溝２０ａの屋内側にはパッキン２２を介してガラスパネル１５を押圧保持するための縦部押縁２８が取り付けられている。
この縦部押縁２８も金属押縁片２８ａと樹脂押縁片２８ｂが互いに係合して一体化されている。金属押縁片２８ａとパネル嵌合溝２０ａとで断面略コの字状とされてガラスパネル１５を保持する。
【００２０】
図２で、左側の金属縦框１９に形成した断面略コの字状のパネル嵌合溝１９ａの屋内側には複数のホロー部を有する金属縦框１９が平面視略Ｌ字状に屈曲して延びてハンドル受け部１９ｂが形成されている。このハンドル受け部１９ｂの見込み面１９ｂａにはグレモン錠のハンドル３０が取り付けられている。ハンドル受け部１９ｂには見込み面１９ｂａを除いて屋内側見付け面を覆う樹脂縦框２７が係合されている。
【００２１】
図３は吊先側の縦框１２におけるハンドル受け部１９ｂの正面図であり、図４（ａ）、（ｂ）は図３におけるＡ−Ａ線断面図である。なお、図４において図２に示すハンドル受け部１９ｂの肉厚部分は省略されている。図２及び図４に示す金属縦框１９において、屋内側に設けたハンドル受け部１９ｂの見込み面１９ｂａ側に上下方向に延びる例えば略四角形筒状をなす中空ホロー部３２と中空枠部３３とが配列されている。
中空枠部３３は図２及び図４に示すように金属縦框１９の断面略コの字状の枠部１９ｃに断面略コの字状のスライドバー３１が摺動可能に嵌合されて構成されている。スライドバー３１の一部に断面略コの字状のスライダー３４が嵌合されて中空に構成されている。スライダー３４については後述する。
なお、金属縦框１９において、ハンドル３０側に設置された中空ホロー部３２は室内側に連通して内圧で満たされた内圧空間Ｐを形成し、中空枠部３３は縦枠５に連通して外気で満たされた外圧空間Ｑを形成している。
【００２２】
図４において、ハンドル３０は操作部３０ａに対して屈曲する基部３０ｂを備えており、中空ホロー部３２内に設けた基板３６にはハンドル３０を上下方向に回動可能に支持する支軸３７が基部３０ｂの先端部３０ｃに設置されている。ハンドル３０は支軸３７を中心に上下方向に回動可能であり、ハンドル受け部１９ｂの見込み面１９ｂａにはハンドル３０の回動を許容する開口部３８が形成されている。開口部３８は断面ラッパ状に形成されており、ハンドル３０は開口部３８の範囲で回動可能である。
ハンドル３０に形成された先端部３０ｃは、中空ホロー部３２から枠部１９ｃに形成した穴部１９ｄを通って中空枠部３３内に突出している。
また、中空ホロー部３２はハンドル３０の取付部に設けた開口部３８を通して室内側に連通しており、しかもその上下端部が金属上框１７と金属下框１８の面に当接していることで屋内側圧力で満たされた内圧空間Ｐに保持される。
【００２３】
スライダー３４は枠部１９ｃ内をスライドバー３１と一体に摺動可能であり、その上下方向の中央部には、ハンドル３０の先端部３０ｃを受け入れる凹部を形成した連動突部３４ａが突出形成されている。そのため、ハンドル３０を上下動させると先端部３０ｃで係合する連動突部３４ａを介してスライダー３４がスライドバー３１と一体に連動して上下動する。しかも、先端部３０ｃを挟むスライダー３４の上下両側には枠部１９ｃを封止する第一気密ピース４０がそれぞれ取り付けられている、第一気密ピース４０は例えばスポンジやゴム等の弾性体で構成されている。
また、枠部１９ｃ内にはハンドル３０で解錠操作するグレモン錠の連動棒(図示せず)が挿通され、この連動棒にスライダー３４及び一対の第一気密ピース４０を連結して一体化してもよい。
【００２４】
枠部１９ｃを備えた中空枠部３３は外圧空間Ｑを形成するが、スライダー３４とその上下の第一気密ピース４０と枠部１９ｃで囲われた領域はハンドル３０の先端部３０ｃが挿通している穴部１９ｄを通して中空ホロー部３２と屋内に連通する内圧空間Ｐａを形成している。この場合、スライダー３４で形成する内圧空間Ｐａは厳密に屋内側の気圧である必要はなく外気が混入した内圧と外圧の中間の圧力であってもよい。中空ホロー部３２内の内圧空間Ｐも同様である。また、内圧空間Ｐａと内圧空間Ｐはほぼ同一圧力であり外気の圧力より小さい。
また、金属縦框１９のスライダー３４の上方には、後述する小開口規制プレート４２に摺動可能に嵌合して障子９の閉鎖位置と開放位置を規制する規制部材として規制ピン４３が植設されている。
【００２５】
図５において、吊先側の縦框１２の枠部１９ｃに対向する金属縦枠５ａには回動軸４４が植設され、この回動軸４４には障子９の開放角度を規制する小開口規制プレート４２が回動可能に支持されている。この小開口規制プレート４２には規制ピン４３を嵌合させる開閉ガイド溝４５が形成されている。開閉ガイド溝４５は例えば略逆Ｚ型に形成されており、規制ピン４３が上側の拡幅溝４５ａ内に位置する場合には障子９は閉鎖位置にあり、下端の溝部４５ｂに位置する場合には障子９は所定の小開口位置にある。小開口規制機構は小開口規制プレート４２と規制ピン４３とを備えている。
【００２６】
また、図４（ａ）及び（ｂ）において、吊先側の金属縦框１９におけるスライダー３４と規制ピン４３の間には、中空ホロー部３２の長手方向に直交する方向に進退可能な作動部材４８が中空ホロー部３２に設置されている。この作動部材４８の側部には作動ピン４９が突出している。作動部材４８は枠部１９ｃに形成された開口を通して中空枠部３３の外側に突出可能である。
作動部材４８の側部にはスライダー３４に連動する解除プレート５０が昇降可能に取り付けられ、この解除プレート５０に形成した斜め方向の摺動ガイド溝５０ａには作動ピン４９が摺動可能に嵌合している。しかも、解除プレート５０には弾性部材としてコイルばね５２が取り付けられていて解除プレート５０を上方位置に付勢している。
【００２７】
解除プレート５０には操作レバー５０ｂが形成され、操作レバー５０ｂはハンドル受け部１９ｂの見込み面１９ｂａに形成された開口溝５１内から突出して上下動可能とされている。操作レバー５０ｂは摺動ガイド溝５０ａと作動ピン４９によって、開口溝５１の上端位置で作動部材４８を後退位置に保持し（図４（ａ）参照）、開口溝５１の下端位置で作動部材４８を小開口規制アーム４２と干渉する位置に突出させる（図４（ｂ）参照）。
図４（ａ）に示すハンドル３０の降下位置で障子９が閉鎖位置にあり、図４（ｂ）に示すハンドル３０の上昇位置で障子９が小開口の開放位置にある。
そのため、図４（ａ）において、ハンドル３０を降下位置から図４（ｂ）に示す上昇位置に回動させると、ハンドル３０の先端部３０ｃが下方に回動して先端部３０ｃに係合するスライダー３４が下方に移動する。また、障子９の開放作動に沿って規制ピン４３が開閉ガイド溝４５で小開口規制プレート４２を押して回動させながら開閉ガイド溝４５に沿って摺動することで、障子９は所定の小開口位置に至る。
【００２８】
本実施形態による縦辷り出し窓１は上述の構成を備えており、次にその作用を説明する。図４（ａ）に示すように、障子９を閉鎖させた状態でハンドル３０は下方に位置しており、中空ホロー部３２はハンドル取付部の開口部３８を介して屋内に連通しているため、内圧空間Ｐに設定されている。また、中空枠部３３内は外気に連通する外圧空間Ｑであるが、スライダー３４と上下の第一気密ピース４０と枠部１９ｃとで囲われた領域はハンドル取付部の穴部１９ｄを通して中空ホロー部３２に連通しているため内圧空間Ｐａに設定されている。
そして、図４（ａ）に示すように、縦辷り出し窓１のハンドル３０を上方に回動操作して障子９を開放作動させると、スライダー３４は一対の第一気密ピース４０によって内圧空間Ｐａの状態を維持して下方移動する。しかも障子９に設けた規制ピン４３で開閉ガイド溝４５に沿って摺動しながら小開口規制プレート４２を開放作動させる。
【００２９】
そのため、ハンドル３０を回動操作して障子９を閉鎖位置と開放位置との間で開閉作動させても、支軸３７で回動するハンドル３０の基部３０ｂ及び先端部３０ｃの周囲は、中空枠部３３内が外圧空間Ｑであっても、スライダー３４と上下の第一気密ピース４０で囲われた領域は密封された内圧空間Ｐａに保持され、中空ホロー部３２内も密封された内圧空間Ｐに保持される。
【００３０】
従来、中空枠部３３の全体を外圧空間Ｑにすると可動部であるハンドル３０の先端部３０ｃが突出する穴部１９ｄとの隙間を通って中空ホロー部３２から屋内側に漏気したり雨水等が屋内側に引き込まれたりすることがあった。
しかしながら、本実施形態によれば、中空枠部３３におけるハンドル３０の先端部３０ｃが揺動するスライダー３４と上下の第一気密ピース４０と枠部１９ｃとで囲われた領域を内圧空間Ｐａに保持できるため、ハンドル３０の支軸３７の周囲の隙間から外気が屋内に流入することを抑制できる。また、縦框１２の金属縦框１９の外側に設けた中空枠部３３の枠部１９ｃに雨水等が流入したとしても、雨水等はスライダー３４及び上下の第一気密ピース４０によって密閉された内圧空間Ｐａ内に流れ込むことを阻止できる。そのため、雨水がハンドル３０の支軸３７回りの隙間から中空ホロー部３２内に流入したり屋内側に流入することを抑制できる。また、スライダー３４と第一気密ピース４０で仕切った内圧空間Ｐａや中空ホロー部３２の内圧空間Ｐ内に外気や雨水等がわずかに流れ込んだとしてもいずれも内圧であるから、屋内側に外気や雨水等が引き込まれることを防止できる。
【００３１】
上述のように本第一実施形態による縦辷り出し窓１によれば、ハンドル３０の先端部３０ｃを納めた中空枠部３３のスライダー３４及び第一気密ピース４０で仕切った内圧空間Ｐａと中空ホロー部３２の内圧空間Ｐをほぼ屋内側の気圧に保持できるため、外部から外気や雨水等が揺動可能なハンドル３０の周囲の隙間を通って屋内側に漏気したり流入したりすることを阻止できる。
また、スライダー３４及び第一気密ピース４０で仕切った内圧空間Ｐａ内に雨水等が漏れ込んだ場合でも内圧に保持されるため屋内側に引き込まれることを阻止できる。
【００３２】
なお、本発明による縦辷り出し窓１は、上述した実施形態に限定されるものではなく、本発明の要旨を逸脱しない範囲で適宜の変更や置換等が可能である。以下に、本発明の他の実施形態や変形例等について説明するが、上述した実施形態で説明した部品や部材等と同一または同様なものについては同一の符号を用いて説明を省略する。
【００３３】
次に本発明の第二実施形態による縦辷り出し窓１Ａについて図６及び図７により説明する。本第二実施形態による縦辷り出し窓１Ａは上述した第一実施形態と略同一の構成を備えている。相違点として、吊先側の縦框１２において、金属縦框１９のハンドル３０側に位置する中空ホロー部３２の下端部が下枠４上の金属下框１８に当接している。図１及び図７に示すように、金属下枠４ａと金属下框１８との間の空間５４は外気とされている。また、下部押縁２５の金属押縁片２５ａ及び金属下框１８で形成される空間５５も外気とされている。
【００３４】
そのため、金属縦框１９の屋内側に設置された中空ホロー部３２はその下端部が、金属下枠４ａ及び金属下框１８の間の外圧の空間５４や金属押縁片２５ａ及び金属下框１８の間の外圧の空間５５と近接していて外気が流入し易い。また、パネル嵌合溝１８ａや１９ａも外気の雰囲気とされている。
そのため、金属縦框１９の中空ホロー部３２の下端部と金属押縁片２５ａの端部との間にスポンジやゴム等の弾性体からなる第二気密ピース５６を装着して中空ホロー部３２内に外気が流入することを防止している。
【００３５】
なお、中空ホロー部３２の上端部は金属上框１７等の上框１０に当接することで外気の流入を抑制できるが、上端部にも第二気密ピース５６を装着して外気の流入を防止することが好ましい。
本第二実施形態によれば、より確実に中空ホロー部３２内に外気が流入することを防止して内圧空間Ｐを維持できる。
【００３６】
次に図８は本発明の第三実施形態による縦辷り出し窓１Ｂを示すものである。
本第三実施形態では、中空ホロー部３２内を外気が流入する外圧空間Ｑとした。また、中空枠部３３内はスライダー３４の上下に設けた第一気密ピース４０によって内圧空間Ｐａを保持している。
そして、本実施形態では、中空ホロー部３２内における例えば規制ピン４３の外側とハンドル３０の支軸３７の外側にそれぞれ弾性体からなる第三気密ピース５８を設置した。
これによって、中空ホロー部３２内は外気の空間とされながらも、ハンドル３０の支軸３７と先端部３０ｃを含む上下の第三気密ピース５８で挟まれた空間領域を封止して内圧空間Ｐとすることができる。そのため、中空ホロー部３２内に外気や雨水等の水が回り込んだりしてもハンドル３０の隙間を通して屋内側に漏れ入ることを防止できる。
なお、中空ホロー部３２内における第三気密ピース５８の設置位置は少なくともハンドル３０の先端部３０ｃを含む基部３０ｂとその隙間を挟む領域であればよく、この領域を内圧に設定できればよい。
【００３７】
なお、上述した各実施形態では縦辷り出し窓１、１Ａ，１Ｂについて説明したが、本発明はこのような構成に限定されるものではなく、他の建具についても採用できる。例えば、縦辷り出し窓に代えて横辷り出し窓や引き違い窓等の各種の建具に本発明を適用してもよい。本発明を横辷り出し窓に適用した場合、ハンドル３０は縦框１２に代えて下框や上框等の横框に設置して本発明を適用することができる。
【００３８】
次に本発明の第四実施形態として引き違い窓６０について図９により説明する。
図９に示す引き違い窓６０の要部水平断面図において、枠体６１内に引き違い用の障子６２が設置され、障子６２の縦框６４は枠体６１の縦枠６５に当接して閉鎖状態にある。障子６２の縦框６４は屋外側の金属縦框６７と屋内側の樹脂縦框６８が係合している。そして、金属縦框６７に設置されたハンドル７０は樹脂縦框６８のホロー部を通して屋内側に突出している。ハンドル７０は金属縦框６７に固定保持されていてもよいし、可動に保持されていてもよい。
【００３９】
しかもハンドル７０を挿通させる樹脂縦框６８の穴部６８ａとの間にはわずかな隙間があり、樹脂縦框６８は屋内側に連通する内圧空間とされている。また、樹脂縦框６８に連結された金属縦框６７のホロー部は孔等を通して外気に連通する外圧空間とされている。しかも、ハンドル７０は金属縦框６７の穴部６７ａを通して内部に延びており、金属縦框６７と樹脂縦框６８の境界に形成された穴部６７ａ(連通部)とハンドル７０との間にわずかな隙間があっても封止部材としてのスペーサ７１によって封止されている。
そのため、外気に連通する金属縦框６７内に外気や雨水等が浸入したとしても、屋内に連通する樹脂縦框６８内に流入することを阻止できる。
なお、本実施形態における金属縦框６７のホロー部は中空筒部に含まれ、樹脂縦框６８は中空ホロー部に含まれる。
【００４０】
また、上述の実施形態では、金属縦框１９内の中空枠部３３と中空ホロー部３２の２つの中空筒部に回動可能なハンドル３０を設置してハンドル３０の揺動範囲の隙間が内圧の空間に含まれるように各気密ピースで封止するように構成したが、中空筒部はいずれか１つでもよく、この中空筒部内の揺動可能なハンドル３０と隙間を含む領域を挟んで上記の気密ピースで封止して内圧の空間に設定してもよい。また、本発明は框体の縦框や横框等の框部に代えて枠体に設置してもよい。
【００４１】
なお、中空枠部３３は中空筒部に含まれ、第一気密ピース４０、第二気密ピース５６、第三気密ピース５８はそれぞれ第一封止部材、第二封止部材、第三封止部材等の封止部材に含まれる。
また、本発明は建具の障子開閉用のハンドル３０に限定されることなく、引き違い障子の折り込み引手、サブロック等の各種の操作部や可動部に適用できる。
なお、本発明による縦辷り出し窓１、１Ａ、１Ｂ等の建具はビル用に限らず一般住宅用の建具等にも採用できる。
【符号の説明】
【００４２】
１  縦辷り出し窓
４  下枠
４ａ  金属下枠
７  枠体
９  障子
１１  下框
１２、１３  縦框
１５  ガラスパネル
１８  金属下框
１９、２０  金属縦框
１９ｃ  枠部
１９ｄ  穴部
２５  下部押縁
２５ａ  金属押縁片
３０  ハンドル
３０ｃ  先端部
３２  中空ホロー部
３３  中空枠部
３４  スライダー
３４ａ  連動突部
３８  開口部
４０  第一気密ピース
４２  小開口規制プレート
４３  規制ピン
５６  第二気密ピース
５８  第三気密ピース
Ｐ，Ｐａ  内圧空間
Ｑ  外圧空間
【図１】
0006652433.tif 000002
【図２】
0006652433.tif 000003
【図３】
0006652433.tif 000004
【図４】
0006652433.tif 000005
【図５】
0006652433.tif 000006
【図６】
0006652433.tif 000007
【図７】
0006652433.tif 000008
【図８】
0006652433.tif 000009
【図９】
0006652433.tif 000010